(57)【特許請求の範囲】
【請求項１】
車椅子利用者の上体に着て車椅子利用者のウエストの位置が下縁部分となる上衣の上部と下部との重ね合わせ部分を、該上衣の上部と下部との対向面に配した面ファスナを介して着け離し可能に設け、車椅子利用者のウエスト位置から車椅子利用者が車椅子で着座姿勢をとった状態での足首辺りの高さ位置を下縁とした下衣の上部と下部との重ね合せ部分を、該下衣の上部と下部との対向面に配した面ファスナを介して着け離し可能に設けていて、車椅子に着座した車椅子利用者のウエスト周りに巻いて着衣した前記上衣の下縁と前記下衣の上縁とを覆う帯を有する車椅子利用者用の二部式の浴衣であって、
前記下衣の上辺には、着用者の腰回りに巻いて重ね合わせ部を面ファスナを介して着け離し可能に設けられ、かつ着用者の腰の背側に対応する部分に伸縮部材を有して下衣の上辺に沿った方向に伸縮可能にした帯状部が位置し、
前記下衣の上部の衿下となる辺の裏面と、下衣の下部における前記衿下となる辺の裏面に対応する部分とが面ファスナを介して着け離し可能に設けられていて、
前記下衣の後左見頃と後右見頃とのそれぞれの車椅子利用者が前記着座姿勢をとったときの臀部に対応する臀部対応部での幅寸法を前記後左見頃と後右見頃の裾部の幅寸法より大きくして、かつ前記後左見頃と前記後右見頃とのそれぞれの縫い合わせ側の辺が互いに曲線状に凸となる形状とされて、前記臀部対応部に前記後左見頃と前記後右見頃との縫い合わせ部が曲線状に凸となって外方に膨らみ出る凸部を設け、
前記下衣における臀部対応部と帯状部との間に、少なくも着用者の腰の背側に対応する背部対応部を一枚生地にして前記帯状部の長手方向に沿った幅広生地部が配されて、この幅広生地部の前記背部対応部は上下方向に伸縮性を有しており、
前記臀部対応部と帯状部との間に前記幅広生地部が介在することにより前記臀部対応部の後左見頃と後右見頃との縫い合せ部を前記帯状部に非連続として、臀部対応部の後左見頃と後右見頃との前記縫い合せ部と帯状部との間を伸長可能に設けて、臀部対応部の前記凸部の上方側に、前記背部対応部による上下方向に伸縮できる部分と前記帯状部による下衣の上辺に沿った方向に伸縮できる部分とを備えていることを特徴とする車椅子利用者用二部式浴衣。
【請求項２】
上記幅広生地部の背部対応部の一枚生地は、布目が臀部対応部の生地の布目に対して傾斜しているバイアス地である請求項１に記載の車椅子利用者用二部式浴衣。
【発明の詳細な説明】
【技術分野】
【０００１】
本発明は車椅子利用者用の二部式浴衣に関するものである。
【背景技術】
【０００２】
従来から和装の形態においても二部式のものがあり、二部式の着物に係る技術としては、上衣の下部（人体側で、正面から見て左側の部分）の下縁部分と上部（下部に重ねる部分であって、正面から見て右側の部分）の下縁部分とを、背側の下縁に沿って配した紐などに掛け止めて、下部と上部とを重ね合わせるようにするとともに、下衣において腰周りに回す帯状部の重ね合わせ部分に係止手段を設ける技術が特許文献１に示されている。また、同様の二部式の着物としては、上衣の衿の合わせが簡単になるようにその上衣の下部と上部との対向面にスナップボタンを設け、下衣ではインサイドベルトによって着用者の腰周りに適応させながら巻きスカート様に巻くものが特許文献２に提案されていた。
【特許文献１】実公昭４１−０１８０２１号公報
【特許文献２】実開昭５４−００７７０６号公報
【発明の開示】
【発明が解決しようとする課題】
【０００３】
ところで、車椅子利用者においても夏場には浴衣を着用したいとの要望があり、着易くするために従来からある二部式とすることが良好である。この浴衣を二部式とした場合、浴衣を上半身にまとう上衣と下半身にまとう下衣との上下に分けて着用し簡易的な帯を巻くようにすることが考えられる。
しかし、下衣の後見頃を構成している生地は腰位置と裾位置とで幅が異なっているものでなく、この二部式の浴衣を着て着座姿勢をとった場合でも、臀部から下腹部に亘って締め付けがきつくなる。特に車椅子利用者では着座姿勢をとり続けることから、臀部から下腹部に亘る部分が長時間に亘って締め付けられ、下腹部辺りでの着心地が悪いとともに臀部や下腹部の血行を損ない易いという問題が生じる。
そこで本発明は上記事情に鑑み、車椅子利用者が着用する二部式の浴衣において、下衣の臀部対応部に膨らみを持たせ、着用して車椅子に着座しても臀部や下腹部辺りに対する締め付けが強くならないようにすることを課題とし、着易い浴衣を提供することを目的とするものである。
【課題を解決するための手段】
【０００４】
本発明は上記課題を考慮してなされたもので、車椅子利用者の上体に着て車椅子利用者のウエストの位置が下縁部分となる上衣の上部と下部との重ね合わせ部分を、該上衣の上部と下部との対向面に配した面ファスナを介して着け離し可能に設け、車椅子利用者のウエスト位置から車椅子利用者が車椅子で着座姿勢をとった状態での足首辺りの高さ位置を下縁とした下衣の上部と下部との重ね合せ部分を、該下衣の上部と下部との対向面に配した面ファスナを介して着け離し可能に設けていて、車椅子に着座した車椅子利用者のウエスト周りに巻いて着衣した前記上衣の下縁と前記下衣の上縁とを覆う帯を有する車椅子利用者用の二部式の浴衣であって、
前記下衣の上辺には、着用者の腰回りに巻いて重ね合わせ部を面ファスナを介して着け離し可能に設けられ、かつ着用者の腰の背側に対応する部分に伸縮部材を有して下衣の上辺に沿った方向に伸縮可能にした帯状部が位置し、
前記下衣の上部の衿下となる辺の裏面と、下衣の下部における前記衿下となる辺の裏面に対応する部分とが面ファスナを介して着け離し可能に設けられていて、
前記下衣の後左見頃と後右見頃とのそれぞれの車椅子利用者が前記着座姿勢をとったときの臀部に対応する臀部対応部での幅寸法を前記後左見頃と後右見頃の裾部の幅寸法より大きくして、かつ前記後左見頃と前記後右見頃とのそれぞれの縫い合わせ側の辺が互いに曲線状に凸となる形状とされて、前記臀部対応部に前記後左見頃と前記後右見頃との縫い合わせ部が曲線状に凸となって外方に膨らみ出る凸部を設け、
前記下衣における臀部対応部と帯状部との間に、少なくも着用者の腰の背側に対応する背部対応部を一枚生地にして前記帯状部の長手方向に沿った幅広生地部が配されて、この幅広生地部の前記背部対応部は上下方向に伸縮性を有しており、
前記臀部対応部と帯状部との間に前記幅広生地部が介在することにより前記臀部対応部の後左見頃と後右見頃との縫い合せ部を前記帯状部に非連続として、臀部対応部の後左見頃と後右見頃との前記縫い合せ部と帯状部との間を伸長可能に設けて、臀部対応部の前記凸部の上方側に、前記背部対応部による上下方向に伸縮できる部分と前記帯状部による下衣の上辺に沿った方向に伸縮できる部分とを備えていることを特徴とする車椅子利用者用二部式浴衣を提供して、上記課題を解消するものである。
【０００５】
そして本発明において、上記幅広生地部の背部対応部の一枚生地は、布目が臀部対応部の生地の布目に対して傾斜しているバイアス地とすることが可能である。
【発明の効果】
【０００６】
請求項１の発明によれば、二部式浴衣の下衣の臀部対応部に外方に膨らみ出る凸部が設けられているため、車椅子に着座した姿勢で着用していても着座した人の臀部や下腹部周りに生地のゆとりがあって、臀部や下腹部を締め付けずに血行を阻害しないようになる。
【０００７】
また、本浴衣を着用して車椅子に着座している車椅子利用者が通常の振る舞い動作の一つとして上体を軽く前に倒すことがあるが、そのような通常の振る舞い動作として上体を前に倒しても、幅広生地部の背部対応部が伸長し、背側で下衣の上辺がずれ落ちるのを防止することができる。
請求項２の発明によれば、幅広生地部の縦寸法を大きなものとすることなく、また、下衣の前見頃や臀部対応部の後見頃の生地と異なって伸長性の高い生地を用いなくとも、バイアス地であるため、縦方向の伸長性があり、上述したと同様に通常の振る舞い動作として上体を前に倒しても、幅広生地部の背部対応部が伸長し、背側で下衣の上辺がずれ落ちるのを防止することができる。
【発明を実施するための最良の形態】
【０００８】
つぎに本発明を図１と図２に示す実施の形態に基づいて詳細に説明する。
図中１は車椅子利用者用の二部式浴衣で、この二部式浴衣１を着用した状態で車椅子に着座でき、臀部や下腹部に対して強い締め付けが生じないようにしたものである。図示のように前記二部式浴衣１は車椅子利用者の上体に着てウエストの位置が下縁部分となる上衣２と、車椅子利用者のウエスト位置から車椅子利用者が車椅子で着座姿勢をとった状態での足首辺りの高さ位置を下縁とした下衣３と、車椅子に着座した車椅子利用者のウエスト周りに巻いて着衣した上衣２の下縁と下衣３の上縁（ウエスト対応部分）とを隠す幅を備えて簡易に巻き止めできる帯４とからなるものである。
上記上衣２においては、車椅子利用者の上体胸部の正面に位置する上部（正面から見て右側であって、衿と上衣での上前見頃とで構成されている部分）５と下部６（正面から見て左側であって、衿と上衣での下前見頃とで構成されている部分）との重ね合わせ部分が乱れ難くするために、その重ね合わせ部分での前記上部５と下部６との対向面にそれぞれ面ファスナ７が取り付けられていて、この面ファスナ７を介して重ね合わせ部分が着け離し可能に設けられている。
袖８については、車椅子の車輪との擦れを避けるために袂を無くして手先側に向けてすぼまった形状の船底袖としている。
【０００９】
上記下衣３においては、上部９（下衣での上前）と下部１０（下衣での下前）との重ね合せ部分が乱れ難くするために、その重ね合わせ部分での前記上部９と下部１０との対向面（上前の衿下に相当する辺の裏面とこの裏面に応じた下前の部位）にそれぞれ面ファスナ７が取り付けられていて、この面ファスナ７を介して重ね合わせ部分が着け離し可能に設けられている。
さらに下衣３において、車椅子利用者が着座姿勢をとったときの臀部に対応する臀部対応部１１から下縁にかけては、後左見頃１２と後右見頃１３との二枚の生地から構成されており、後左見頃１２と後右見頃１３との臀部対応部１１での縫い合せ側の辺が互いに曲線状に凸となる形状にして、その後左見頃１２と後右見頃１３とのそれぞれ臀部対応部１１での幅寸法を、後左見頃１２と後右見頃１３の裾部側（下縁側）の幅寸法より大きくしている。これによって、前記臀部対応部１１に図示のように後左見頃１２と後右見頃１３との縫い合わせ部が曲線状に凸となって外方に膨らみ出る凸部１４を設けていて、車椅子利用者がこの下衣３を着衣し、前記面ファスナ７にて重ね合わせ部分を着け重ねして車椅子に着座した場合でも、車椅子利用者の臀部と下腹部周りにゆとりを持たせて締め付けが生じないようにしている。
【００１０】
また、この下衣３の上辺には着用に際してウエスト周りでの止め付けが容易になるように帯状部１５が設けられていて、この帯状部１５は、着用者（車椅子利用者）の腰（ウエスト）の背側に対応する部分にゴム帯などからなる伸縮部材２０を内包し、下衣３の上辺に沿った方向に伸縮可能に設けられている。すなわち、図示されているように上記凸部１４の上方側に前記帯状部１５の背側があって、この凸部１４の上方側に下衣３の上辺に沿った方向に伸縮できる部分がある。そして、止め付けに際してある程度の長さを持って重ね合わされ、その重ね合わせ部分での対向面に面ファスナ７が設けられており、この面ファスナ７を介して帯状部１５の前記重ね合わせ部分の着け離しが行なえるようにしている。
【００１１】
そして、この下衣３においては、上記帯状部１５の長手方向に沿って、かつ下衣３での胴回り方向に亘って幅広生地部１６が設けられている。この幅広生地部１６では、車椅子利用者の腰の背側に対応する背部対応部１７と、この背部対応部１７の両側に位置している腹部対応部１８とはそれぞれ、他の部位の構成生地と同様に一枚生地からなるものである。
一枚生地とした上記背部対応部１７にあっては、上記臀部対応部１１と帯状部１５との間に介在しており、これによって臀部対応部１１の後左見頃１２と後右見頃１３との縫い合せ部１９が前記帯状部に非連続とされている。さらに、背部対応部１７は、その一枚生地の布目が後左見頃１２と後右見頃１３の生地（たて地）の布目に対して傾斜しているバイアス地とされていて、背部対応部１７が上下方向に伸縮性を有している。そのため、この下衣３にあっては前記縫い合せ部１９と帯状部１５との間が伸長可能に設けられている。すなわち、図示されているように上記凸部１４の上方側に背部対応部１７があるので、この凸部１４の上方側に上下方向に伸縮できる部分がある。
このように縫い合せ部１９と帯状部１５との間が伸縮性のある背部対応部１７の介在によって伸長可能に設けられているため、仮に縫い合せ部１９自体が上下方向に伸長性を有しない部位となっていても、車椅子利用者が通常の振る舞い動作で上体を前に曲げるようにしたときに、上体の背の伸びに帯状部１５の背側が追従するようになり、下衣３での背側のずれ落ちを防止して背側に違和感を生じさせることがない。
なお、縫い合せ部１９と帯状部１５との間が伸縮性のある背部対応部１７の介在によって伸長可能であることか良好であるが、背部対応部１７がバイアス地である必要は必ずしもないものである。
【図面の簡単な説明】
【００１２】
【図１】本発明に係る二部式浴衣の一例を示す説明図である。
【図２】一例における下衣を示す説明図である。
【符号の説明】
【００１３】
１…二部式浴衣
２…上衣
３…下衣
４…帯
５…上衣の上部
６…上衣の下部
７…面ファスナ
８…袖
９…下衣の上部
１０…下衣の下部
１１…臀部対応部
１２…後左見頃
１３…後右見頃
１４…凸部
１５…帯状部
１６…幅広生地部
１７…背部対応部
１８…腹部対応部
１９…後左見頃と後右見頃の縫い合せ部
【図１】
0005075582.tif 000002
【図２】
0005075582.tif 000003